(57)【要約】【課題】  自動取引装置の利用者の希望を反映して、複数のネットワークのうちいずれか１つを選択してホストコンピュータと通信する自動取引装置を提供する。【解決手段】  Ａ銀行のＡＴＭは、Ｂ銀行のホストコンピュータと２つの経路により通信可能である。Ａ銀行のＡＴＭは、利用者に選択画面ｐｉｃ１，ｐｉｃ２を提示し、通信に使用するネットワークの選択を促す。Ａ銀行のＡＴＭは、利用者が選択したネットワークにより、Ｂ銀行のホストコンピュータと通信し、取引を行なう。【選択図】        図６
2005196599.tif 000002
【特許請求の範囲】
【請求項１】
金融機関のホストコンピュータと複数のネットワークを介して接続された自動取引装置であって、
前記複数のネットワークのいずれか１つを介して、前記ホストコンピュータと通信を行なう通信制御部と、
前記複数のネットワークのうちの１つのネットワークを選択する選択情報を、利用者の操作に基づき入力する選択入力部と、
前記金融機関の取引に関する指示を受け付ける指示受付部と、
前記通信制御部を制御して、前記選択されたネットワークを介して、前記指示された取引を行なう取引部と
を備えた自動取引装置。
【請求項２】
請求項１記載の自動取引装置であって、
前記選択入力部は、前記選択情報を入力するためのインタフェース画面を表示する表示部を備えた自動取引装置。
【請求項３】
請求項１記載の自動取引装置であって、
前記選択情報の入力に先立って、前記複数のネットワークの使用料金に関する情報，前記複数のネットワークの通信速度に関する情報のうち少なくとも一部を前記利用者に提示する提示部を備えた自動取引装置。
【請求項４】
請求項１記載の自動取引装置であって、
前記利用者による選択を行なうか否かの確認を、前記選択情報の入力に先立って受け付ける選択要否入力部と、
前記選択が不要とされたときに、所定の規則に基づいて、前記複数のネットワークから１つのネットワークを選択する選択部と
を備えた自動取引装置。
【請求項５】
請求項４記載の自動取引装置であって、
前記選択部は、前記複数のネットワークにおいて予め設定されている優先度，前記複数のネットワークの使用料金，前記取引の時刻，前記複数のネットワークの通信速度，ネットワークの状態の少なくともいずれか１つに基づいて、前記１つのネットワークを選択する自動取引装置。
【請求項６】
請求項１記載の自動取引装置であって、
前記自動取引装置は、複数の金融機関のホストコンピュータと複数のネットワークを介して接続されており、
前記取引に関する指示が、前記自動取引装置を管理する金融機関以外の、他の金融機関に関するものであるか否かを判断する判断部を備え、
前記選択入力部は、前記指示が前記他の金融機関に関するものであると判断された場合に、前記選択情報を入力する
自動取引装置。
【請求項７】
請求項１記載の自動取引装置であって、
前記選択されたネットワーク以外のネットワークを介して、前記ホストコンピュータから出力される取引情報を受信する受信部を備えた自動取引装置。
【請求項８】
請求項１記載の自動取引装置であって、
前記通信制御部は、物理的に分離した前記複数のネットワークのいずれか１つを介して、通信を行なう自動取引装置。
【請求項９】
金融機関のホストコンピュータと複数のネットワークを介して接続された自動取引装置の制御方法であって、
前記複数のネットワークのいずれか１つを介して、前記ホストコンピュータと通信を行なう通信制御工程と、
前記複数のネットワークのうちの１つのネットワークを選択する選択情報を、利用者の操作に基づき入力する選択入力工程と、
前記金融機関の取引に関する指示を受け付ける指示受付工程と、
前記通信制御工程における通信により、前記選択されたネットワークを介して、前記指示された取引を行なう取引工程と
を備えた取引方法。
【請求項１０】
金融機関のホストコンピュータと複数のネットワークを介して接続された自動取引装置において動作するコンピュータプログラムであって、
前記複数のネットワークのいずれか１つを介して、前記ホストコンピュータと通信を行なう通信制御機能と、
前記複数のネットワークのうちの１つのネットワークを選択する選択情報を、利用者の操作に基づき入力する選択入力機能と、
前記金融機関の取引に関する指示を受け付ける指示受付機能と、
前記通信制御機能における通信により、前記選択されたネットワークを介して、前記指示された取引を行なう取引機能と
を前記自動取引装置に実現させるためのコンピュータプログラム。
【発明の詳細な説明】
【技術分野】
【０００１】
本発明は、金融機関のホストコンピュータと通信して取引を行なう自動取引装置に関する。
【背景技術】
【０００２】
自動取引装置は、金融機関のホストコンピュータとネットワーク経由で通信し、種々の取引を実行する。このような自動取引装置には、ＡＴＭ（Ａｕｔｏｍａｔｉｃ  Ｔｅｌｌｅｒ  Ｍａｃｈｉｎｅ：現金自動預入引出機）や、クレジット決済機能を有するＰＯＳ（Ｐｏｉｎｔ  Ｏｆ  Ｓａｌｅｓ：販売時点情報管理）端末、ＣＡＴ（クレジット認証端末装置）などが存在する。かかる自動取引装置を複数のネットワークに接続し、様々な条件により、通信に使用するネットワークを使い分ける、という技術は提案されている。例えば特許文献１では、ＰＯＳ端末を複数のネットワークに接続し、様々な条件に応じて、クレジット会社のホストコンピュータとの通信に使用するネットワークを選定することが提案されている。ネットワークを選定する条件としては、クレジット会社側が定めるネットワーク毎の手数料，クレジット処理を行なう時刻，優先度などが挙げられている。
【０００３】
また、特許文献２では、ＣＡＴを２つのネットワークに接続し、通常使用している１つ目のネットワークに障害が発生した場合、２つ目のネットワークを使用して通信を行なう、ということが提案されている。
【０００４】
【特許文献１】特開２０００−２５０９７１号公報
【特許文献２】特開平７−２８７２６号公報
【発明の開示】
【発明が解決しようとする課題】
【０００５】
しかしながら、ネットワークの通信環境やユーザのニーズは多種多様である。にもかかわらず、従来は金融機関側が通信に使用するネットワークを一方的に選択しており、利用者の希望を反映することができなかった。
【０００６】
本発明は、上記した問題点を解決するためになされたものであり、自動取引装置の利用者の希望を反映して、複数のネットワークのうちいずれか１つを選択してホストコンピュータと通信する自動取引装置を提供することを目的とする。
【課題を解決するための手段】
【０００７】
上記課題の少なくとも一部を解決する自動取引装置は、金融機関のホストコンピュータと複数のネットワークを介して接続された自動取引装置であって、前記複数のネットワークのいずれか１つを介して、前記ホストコンピュータと通信を行なう通信制御部と、前記複数のネットワークのうちの１つのネットワークを選択する選択情報を、利用者の操作に基づき入力する選択入力部と、前記金融機関の取引に関する指示を受け付ける指示受付部と、前記通信制御部を制御して、前記選択されたネットワークを介して、前記指示された取引を行なう取引部とを備えることを特徴とする。
【０００８】
本発明によれば、自動取引装置の利用者の希望するネットワークでホストコンピュータと通信し、取引をすることが可能である。自動取引装置は、上述したように、ＡＴＭや、ＰＯＳ端末，ＣＡＴであっても良い。利用者がネットワークを選択するタイミングは、取引を行なう前であっても良いし、取引のための指示を入力している途中であっても良い。
【０００９】
ネットワークとしては、ＣＡＦＩＳ（Ｃｒｅｄｉｔ  Ａｎｄ  Ｆｉｎａｎｃｅ  Ｉｎｆｏｒｍａｔｉｏｎ  Ｓｙｓｔｅｍ，株式会社エヌ・ティ・ティ・データの登録商標）やデビット決済システム，カード会社ＶＡＮ，全銀ネットシステムなどが挙げられる。ＣＡＦＩＳは、日本電信電話株式会社（日本電信電話株式会社の登録商標）により開発された共同利用型クレジットオンラインシステムである。デビット決済システムは、ＣＡＦＩＳを利用したサービスの１つである。カード会社ＶＡＮは、日本電信電話株式会社により開発されたＤＤＸ−Ｐというデジタル通信方式のパケット交換サービスを用いて、各カード会社のホスト装置が接続されたネットワークである。全銀ネットシステムは、提携関係にある銀行，郵便局等における複数の金融機関の各コンピュータシステムが、ＭＩＣＳ（Ｍｕｌｔｉ  Ｉｎｔｅｇｒａｔｅｄ  Ｃａｓｈ  Ｓｅｒｖｉｃｅ）等のネットシステムを介して相互通信することにより、他の金融機関のコンピュータシステムに接続されたＡＴＭを通して指定された入出金作業を実行するように構成されたシステムである。
【００１０】
上記した自動取引装置において、前記選択入力部は、前記選択情報を入力するためのインタフェース画面を表示する表示部を備えるものとしても良い。
【００１１】
ネットワーク選択用のインタフェース画面を、取引指示入力用の画面内に表示しても良い。その場合、ネットワークの選択がなされなければ、次の画面に移行しないようにし、確実にネットワークを選択させるようにしても良い。
【００１２】
インタフェース画面は、例えばタッチパネルを用いて提供できる。利用者がネットワークを選択する際、ネットワーク名を入力するようにしても良いし、複数のネットワーク名のうち１つを指定するようにしても良い。
【００１３】
選択入力部はインタフェース画面に限られず、予め自動取引装置に備え付けられたボタンであっても良い。つまり、ボタンにより、ネットワークを選択可能としても良い。
【００１４】
上記した自動取引装置において、前記選択情報の入力に先立って、前記複数のネットワークの使用料金に関する情報，前記複数のネットワークの通信速度に関する情報のうち少なくとも一部を前記利用者に提示する提示部を備えるものとしても良い。
【００１５】
これにより、提示部が提示する情報を基にして、利用者はネットワークを選択することができる。情報は、取引指示入力用の画面内に画像として提示しても良いし、自動取引装置およびその周辺に予め提示しておいても良い。また、情報は、ネットワーク選択用のインタフェース画面内に提示しても良いし、インタフェース画面を表示する前に提示しても良い。
【００１６】
ネットワークの使用料金に関する情報には、通信手数料のみならず金融機関の取扱手数料を含めても良い。ネットワークの通信速度に関する情報には、取引の通信にかかる時間も含まれる。
【００１７】
上記した自動取引装置において、前記利用者による選択を行なうか否かの確認を、前記選択情報の入力に先立って受け付ける選択要否入力部と、前記選択が不要とされたときに、所定の規則に基づいて、前記複数のネットワークから１つのネットワークを選択する選択部とを備えるものとしても良い。
【００１８】
これによれば、ネットワークの自動選択が可能となり、特別な要望のない利用者の利便性向上を図ることができる。
【００１９】
上記した自動取引装置において、前記選択部は、前記複数のネットワークにおいて予め設定されている優先度，前記複数のネットワークの使用料金，前記取引の時刻，前記複数のネットワークの通信速度，ネットワークの状態の少なくともいずれか１つに基づいて、前記１つのネットワークを選択するものとしても良い。
【００２０】
前記自動取引装置は、複数の金融機関のホストコンピュータと複数のネットワークを介して接続されており、前記取引に関する指示が、前記自動取引装置を管理する金融機関以外の、他の金融機関に関するものであるか否かを判断する判断部を備え、前記選択入力部は、前記指示が前記他の金融機関に関するものであると判断された場合に、前記選択情報を入力するものとしても良い。
【００２１】
本発明によれば、他の金融機関に関する取引を行なう時だけネットワークの選択を行なうことにより、自身を管理する金融機関のホストコンピュータと通信する場合には、選択処理を省略することができる。自身を管理する金融機関のホストコンピュータと通信する場合は、所定のネットワーク、例えば、自身を管理する金融機関のホストコンピュータとの通信に最も効率的な専用回線で通信を行なうものとすれば良い。専用回線に異常がある場合には、他の金融機関に関する取引と同様、ネットワークを選択して通信するものとしても良い。
【００２２】
上記した自動取引装置において、前記取引を行なうことにより前記ホストコンピュータから出力される取引情報を、前記複数のネットワークのうち前記１つのネットワーク以外のネットワークを介して受信する受信部を備えるものとしても良い。
【００２３】
これによれば、取引に関する情報の流通経路を分散させることができるため、１つのネットワークから全情報が読み取られることを防ぐことができる。すなわち、取引の安全性が高まる。
【００２４】
上記した自動取引装置において、前記通信制御部は、物理的に分離した前記複数のネットワークのいずれか１つを介して、通信を行なうものとしても良い。
【００２５】
自動取引装置に複数の接続ポートを用意すれば、物理的に複数のネットワークを分離することができる。これにより、１つの接続ポートにつながったネットワークで障害が発生しても、他の接続ポートにつながったネットワークを使用して通信を行なうことができる。よって、自動取引装置が完全に通信を行なえなくなるというリスクを小さくすることができる。ネットワークは電話回線やＬＡＮやＷＡＮであっても良い。
【００２６】
本発明は、上述の自動取引装置としての構成の他、自動取引装置の制御方法の発明として構成することもできる。また、これらを実現させるためのコンピュータプログラム、およびそのプログラムを記録した記録媒体、そのプログラムを含み搬送波内に具現化されたデータ信号など種々の態様で実現することが可能である。なお、それぞれの態様において、先に示した種々の付加的要素を適用することが可能である。
【００２７】
本発明をコンピュータプログラムまたはそのプログラムを記録した記録媒体等として構成する場合には、自動取引装置の動作を制御するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【発明を実施するための最良の形態】
【００２８】
以下、本発明の実施の形態について、以下の項目に分けて説明する。
Ａ．実施例：
Ａ１．全体構成：
Ａ２．機能ブロック：
Ａ３．データベース：
Ａ４．処理：
Ａ５．効果：
Ｂ．変形例：
【００２９】
Ａ．実施例：
Ａ１．全体構成：
図１は、実施例の自動取引装置を用いた取引システムの構成を示す説明図である。取引システムは、本実施例の自動取引装置であるＡ銀行ＡＴＭ１０及びＢ銀行ＡＴＭ２０，並びにＡ銀行ホストコンピュータ１５，Ｂ銀行ホストコンピュータ２５により構成されている。Ａ銀行ＡＴＭ１０は、太線で示されているＬＡＮ１２により、Ａ銀行ホストコンピュータ１５に接続されている。同様に、Ｂ銀行ＡＴＭ２０は、太線のＬＡＮ２２によりＢ銀行ホストコンピュータ２５に接続されている。また、Ａ銀行ホストコンピュータ１５とＢ銀行ホストコンピュータ２５は、ＷＡＮであるネットワーク１ａを介して通信可能である。ネットワーク１は、ネットワーク１ａ，ＬＡＮ１２，ＬＡＮ２２を含むネットワークである。従って、Ａ銀行ＡＴＭ１０は、ネットワーク１を介してＢ銀行ホストコンピュータ２５と通信可能であるし、Ｂ銀行ＡＴＭ２０は、ネットワーク１を介してＡ銀行ホストコンピュータ１５と通信可能である。
【００３０】
一方、Ａ銀行ＡＴＭ１０及びＢ銀行ＡＴＭ２０は、電話回線によるネットワーク２にも接続されている。Ａ銀行ホストコンピュータ１５及びＢ銀行ホストコンピュータ２５もネットワーク２に接続されている。よって、Ａ銀行ＡＴＭ１０及びＢ銀行ＡＴＭ２０は、Ａ銀行ホストコンピュータ１５及びＢ銀行ホストコンピュータ２５とネットワーク２を介して通信可能である。
【００３１】
以下では、Ａ銀行ＡＴＭ１０におけるＢ銀行との取引について説明する。Ａ銀行ＡＴＭ１０の利用者は、Ａ銀行ＡＴＭ１０から、Ａ銀行及びＢ銀行との取引（預け入れ，引き出し，振込みなど）を行なうことができる。Ｂ銀行との取引を行なう場合は、Ｂ銀行ホストコンピュータ２５と通信を行なうことが必要である。Ｂ銀行ホストコンピュータ２５との通信経路は、ネットワーク１を介する経路ｒｔ１と、ネットワーク２を介する経路ｒｔ２の２つがある。Ａ銀行ＡＴＭ１０は、利用者に、Ｂ銀行ホストコンピュータ２５との通信経路を、経路ｒｔ１，ｒｔ２の２つから選択させ、選択された経路によりＢ銀行との取引を実現する。経路ｒｔ１，ｒｔ２を選択するということは、それぞれネットワーク１，ネットワーク２を選択することと同義であるから、利用者には、通信に使用するネットワークを選択させる。
【００３２】
Ａ２．機能ブロック：
図２は、Ａ銀行ＡＴＭ１０の制御機構の構成例を示すブロック図である。以下の各機構はハードウェアにより実現されている。通信部３１は、ＮＩＣ（ネットワークインタフェースコントローラ）３１ａとモデム３１ｂを備えている。ＮＩＣ３１ａは、ネットワーク１を介した通信の制御をするコントローラである。一方、モデム３１ｂは、ネットワーク２を介した通信の制御をする。ネットワーク１とネットワーク２は、Ａ銀行ＡＴＭ１０の異なるポートに接続されているので、ＮＩＣ３１ａとモデム３１ｂは、それぞれのポートでの通信を制御する。ネットワーク１とネットワーク２は、同じポートに接続されていても良いが、その場合ＮＩＣ３１ａとモデム３１ｂは排他的に通信の制御をする。表示部３２は、タッチパネルである。カード読取部３４は、利用者が挿入したキャッシュカードのカード情報を読み取る。ＲＡＭ３５は、カード読取部３４が読み取ったカード情報を一時記憶する。
【００３３】
ＲＯＭ３６は、以下の機能を実現するプログラムを記憶している。指示受付部４１は、表示部３２に取引指示選択用の画像を表示させる。取引指示選択用の画像とは、例えば「預け入れ」「引き出し」などの取引のメニューから１つを選択させるための画像である。指示受付部４１は、画像の押下された箇所により、選択された取引を認識する。
【００３４】
確認部４２は、ネットワーク１，ネットワーク２が通信可能か否かを確認する。取引部４４は、利用者により挿入されたカードの発行銀行を確認し、確認部４２により通信可能であると確認されたネットワークにより、カードの発行銀行のホストコンピュータと通信を行なって、取引を成立させる。取引部４４は、処理全体の制御も行なう。ところで、Ｂ銀行と取引を行なう場合は、Ｂ銀行ホストコンピュータ２５との通信に使用するネットワークは、利用者が選択する。提示部４３は、ネットワーク選択用の画像を、表示部３２に表示させる。なお、利用者は、Ａ銀行ＡＴＭ１０でネットワークを自動選択するように指定することも可能である。提示部４３は、自動選択を指定するための画像も、表示部３２に表示させる。選択部４５は、利用者が自動選択を指定した場合、ネットワークの選択を行なう。取引対象銀行ＤＢ（データベース）４６は、Ａ銀行ＡＴＭ１０から取引することが可能なＡ銀行以外の銀行の情報を格納したデータベースであり、特に通信に関する情報を格納している。詳しくは後述する。
【００３５】
ＣＰＵ３０は、ＲＯＭ３６に記憶されたプログラムにより、ハードウェアを制御して、以上の各機能を実現する。
【００３６】
Ａ３．データベース：
図３は、取引対象銀行ＤＢ４６を示す説明図である。「取引対象銀行」は、Ａ銀行ＡＴＭ１０から取引することが可能な、Ａ銀行以外の銀行である。図１では、Ａ銀行ＡＴＭ１０から取引することが可能な銀行として、Ａ銀行及びＢ銀行を例示したが、ここでは対比のためにＣ銀行も取引可能な銀行であるものとして示してある。「ネットワーク名」は、「取引対象銀行」と通信する場合に使用可能なネットワーク名である。Ｂ銀行と取引する場合は、ネットワーク１やネットワーク２を介すればＢ銀行ホストコンピュータ２５と通信を行なうことが可能である。一方、Ｃ銀行と取引する場合は、ネットワーク１やネットワーク３を介すれば、Ｃ銀行のホストコンピュータと通信を行なうことが可能である。
【００３７】
「通信手数料」は、ネットワークの使用料金であり、利用者が支払う手数料である。「通信手数料」は、「取引対象銀行」，「曜日／時刻」，「ネットワーク名」に応じて設定されている。一方、「取扱手数料」は「取引対象銀行」に利用者が支払う取扱手数料である。更に、本実施例では、利用者は、Ａ銀行ＡＴＭ１０の利用手数料（例えば一律２０円）を支払うものとする。これら各手数料は取引時に「取引対象銀行」によってまとめて受け取られ、「取引対象銀行」は利用者から支払われた料金のうち、「通信手数料」をネットワークの管理会社に、Ａ銀行ＡＴＭ１０の利用手数料をＡ銀行に支払う。なお、以下では、「通信手数料」と「取扱手数料」とＡ銀行ＡＴＭ１０の利用手数料（一律２０円）を足し合わせた、取引に関する手数料を、取引手数料と呼ぶ。
【００３８】
「通信速度」は、各ネットワークの通信速度である。「優先度」は、Ａ銀行ＡＴＭ１０の管理者が設定する数値であり、通信に使用するネットワークをＡ銀行ＡＴＭ１０で選択する場合にどのネットワークを優先させて選択するかを示す。「優先度」の数値が小さいほど、優先度は高い。
【００３９】
Ａ４．処理：
次に、利用者が、Ａ銀行ＡＴＭ１０でＢ銀行との取引を行なう場合の取引処理について説明する。図４は、取引処理を示すフローチャートである。Ａ銀行ＡＴＭ１０では、取引のメニューを表示部３２に表示している（ステップＳ１０）。このメニューは、「預け入れ」「引き出し」「振込み」など、取引処理の内容を選択可能な画像である。利用者は、メニューから１つの取引処理を選択する。選択を受け、Ａ銀行ＡＴＭ１０は、銀行のカードを挿入するよう要求する（ステップＳ２０）。
【００４０】
カードが挿入されたら、Ａ銀行ＡＴＭ１０は、カードの発行銀行のホストコンピュータと通信可能なネットワークの数を調べる（ステップＳ３０）。２つのネットワーク（ネットワーク１およびネットワーク２）で通信可能であって（ステップＳ３０：ｎ＝２）、挿入されたカードがＡ銀行のカードではない、つまりＢ銀行のカードである場合（ステップＳ４０）、通信に使用するネットワークの選択処理を行なう（ステップＳ５０）。
【００４１】
図５は、通信に使用するネットワークの選択処理を示すフローチャートである。Ａ銀行ＡＴＭ１０は、まず、表示部３２に選択画面ｐｉｃ１を表示する（ステップＳ５１）。図６は、選択画面を示す説明図である。選択画面ｐｉｃ１は、図６の上の図である。選択画面ｐｉｃ１では、利用者に対して、利用者自らが通信に使用するネットワークを選択するか否かを問う。選択画面ｐｉｃ１はタッチパネルに表示され、利用者が「はい」あるいは「いいえ」の箇所を指などで押下することで、選択できるようになっている。
【００４２】
利用者が「はい」を押下した場合（図５のステップＳ５２）、図３の取引対象銀行ＤＢ４６を基に、選択画面ｐｉｃ２を表示する（図５のステップＳ５３）。選択画面ｐｉｃ２は、図６の下の図である。選択画面ｐｉｃ２では、利用者に、通信に使用するネットワークを選択させる。利用者が挿入したカードがＢ銀行のカードであるから、選択画面ｐｉｃ２は、図３の取引対象銀行ＤＢ４６のうち、Ｂ銀行のホストコンピュータと通信可能なネットワーク「ネットワーク１」，「ネットワーク２」のうちから１つ選択する画面とする。選択画面ｐｉｃ２には、利用者がネットワークを選択するための参考情報として、「通信手数料」や「通信速度」も併せて表示する。図３の取引対象銀行ＤＢ４６から、各ネットワークの現在時刻における「通信手数料」と「通信速度」を検索し、併せて表示する。なお、取引手数料を表示しても良い。選択画面ｐｉｃ２はタッチパネルに表示され、「ネットワーク１」あるいは「ネットワーク２」の箇所を利用者が指などで押下することで、ネットワークが選択される。利用者により、ネットワークが選択されると、そのネットワーク名を選択情報として入力する（図５のステップＳ５３）。
【００４３】
利用者が「いいえ」を押下した場合（図５のステップＳ５２）、選択部４５により、自動でネットワークを選択する（図５のステップＳ５４）。その際、選択部４５は、取引手数料が最も安くなるネットワークを選択する。取引手数料が最も安くなるネットワークが複数ある場合は、その中から「通信速度」が最も速いネットワークを選択する。更に「通信速度」が最も速いネットワークが複数ある場合は、「優先度」が最も高いネットワークを選択する。
【００４４】
例えば、図３によれば、平日９時〜１８時に、Ｂ銀行との取引を行なう場合、ネットワーク１を介した場合とネットワーク２を介した場合とでは、「通信手数料」も「取扱手数料」も同額で、それぞれ５０円と０円である。よって、取引手数料（通信手数料＋取扱手数料＋Ａ銀行ＡＴＭ１０の利用手数料（一律２０円））は同額となる。そこで、「通信速度」を比較して速い方のネットワークを選択する。もし、「通信速度」が同じ速度（△△ｂｐｓと◎◎ｂｐｓとが等しい）である場合は、「優先度」を基に、どちらのネットワークを介して通信を行なうかを選択する。ここでは、ネットワーク１の「優先度」の値の方が、ネットワーク２の「優先度」の値より小さいので、ネットワーク１を選択することになる。
【００４５】
再度、図４に戻り説明する。通信に使用するネットワークが選択されたら、Ａ銀行ＡＴＭ１０は、選択されたネットワーク経由でＢ銀行ホストコンピュータ２５と通信することで取引を行なう（ステップＳ６０）。取引では、メニューで選択された内容に応じて、暗証番号の入力，出金金額の入力，振込先の指定，振り込み金額の指定などがＡ銀行ＡＴＭ１０で利用者により適宜行なわれる。これらの処理は、通信に使用するネットワークの選択処理の前に行なっても良い。これらの処理により入力された情報を、Ｂ銀行ホストコンピュータ２５に送信する。Ｂ銀行ホストコンピュータ２５は、暗証番号の照合や残高計算などを行ない、取引結果をＡ銀行ＡＴＭ１０に送信する。その際、Ｂ銀行ホストコンピュータ２５は、ステップＳ５０で選択されたネットワークと同じネットワークにより、取引結果を送信する。
【００４６】
一方、２つのネットワーク（ネットワーク１およびネットワーク２）でホストコンピュータと通信可能であって（ステップＳ３０：ｎ＝２）、挿入されたカードの発行銀行がＡ銀行である場合（ステップＳ４０）、つまり、Ａ銀行ホストコンピュータ１５と２つのネットワーク（ネットワーク１およびネットワーク２）で通信可能な場合は、ネットワーク１であるＬＡＮ１２によりＡ銀行ホストコンピュータ１５と通信し、取引を行なう（ステップＳ６２）。ＬＡＮ１２は、Ａ銀行の専用回線であり、ネットワークの管理会社に通信手数料を支払う必要がない。そのため、Ａ銀行と取引する場合は、ＬＡＮ１２により通信を行なうよう設定する。
【００４７】
ホストコンピュータと通信可能なネットワークが１つ（ネットワーク１またはネットワーク２のいずれか）の場合（ステップＳ３０：ｎ＝１）、通信可能なネットワークにより、カード発行銀行のホストコンピュータと通信し、取引を行なう（ステップＳ６４）。通信可能なネットワークが１つのときは、使用するネットワークを選択することもない。
【００４８】
次に、取引手数料を計算する（ステップＳ７０）。例えば、平日の１８時から翌９時までの間にネットワーク１を介してＢ銀行ホストコンピュータ２５と通信した場合は、取引対象銀行ＤＢ４６から、「通信手数料」は５０円，「取扱手数料」は３０円であるとわかる。よって、この場合の取引手数料は、５０円（通信手数料）＋３０円（取扱手数料）＋２０円（Ａ銀行ＡＴＭ１０の利用手数料）＝１００円である。
【００４９】
なお、Ａ銀行ホストコンピュータ１５と通信した場合の「通信手数料」は０円とする。やむを得ず、Ａ銀行ホストコンピュータ１５とネットワーク２を介して通信した場合は、利用者にとっては不測の事態であるから、通信手数料は請求しないものとした。ただし、請求するように設定しても良い。また、Ａ銀行ホストコンピュータ１５と取引した場合の「取扱手数料」は、平日９時から１８時までの間が「０円」、それ以外の時間帯では「８０円」であるものとする。よって、例えば、土曜日にネットワーク１を介してＡ銀行ホストコンピュータ１５と通信した場合の取引手数料は、０円（通信手数料）＋８０円（取扱手数料）＋２０円（Ａ銀行ＡＴＭ１０の利用手数料）＝１００円である。
【００５０】
そして、ステップＳ７０で計算した取引手数料と共に、取引結果を表示部３２に表示する（ステップＳ８０）。取引結果には、通常表示される残高などと併せて、通信に要した時間も表示しても良い。
【００５１】
通信可能なネットワークが０の場合（ステップＳ３０：ｎ＝０）は、取引不可能なので処理は終了する。
【００５２】
以上、本実施形態では、ネットワーク１とネットワーク２として説明したが、各々全銀ネットシステムのネットワークやデビット決済システムのネットワークを用いるものとしても良い。デビット決済システムでは、そのネットワークを利用した取引の内容を履歴に保存し、銀行間の入出金に関するデータを集計・相殺することにより、金融機関間の決済を行なうことも可能である。
【００５３】
Ｂ銀行ホストコンピュータ２５は、Ａ銀行ＡＴＭ１０からの送信に使用された経路とは異なる経路により、Ａ銀行ＡＴＭ１０へ返信するようにしても良い。そのようにすれば、取引に関する情報の流通経路を分散させることができるため、１つのネットワークから全情報が読み取られることを防ぐことができる。すなわち、取引の安全性が高まる。
【００５４】
Ｂ銀行ＡＴＭ２０もＡ銀行ホストコンピュータ１５と複数のネットワークを使用して通信を行なうものとしても良い。
【００５５】
ホストコンピュータに通信可能なネットワークの数はネットワーク１，ネットワーク２の２つに限らず、３つ以上であっても良い。その場合、図４のステップＳ３０における場合分けは、ｎ＞＝２，ｎ＝１，ｎ＝０の３通りで行なう。Ａ銀行ホストコンピュータ１５と通信する際にＬＡＮ１２で通信できなければ、通信するネットワークの選択処理を行なうものとしても良い。
【００５６】
Ａ５．効果：
以上説明したように、本実施形態のＡ銀行ＡＴＭ１０によれば、Ａ銀行ＡＴＭ１０の利用者の希望するネットワークでホストコンピュータと通信し、取引をすることが可能である。更に、通信に使用するネットワークをＡ銀行ＡＴＭ１０で自動的に選択することも可能である。複数のネットワークに接続することにより、１つのネットワークで障害が発生した場合も、他のネットワークにより通信が行なえるので、信頼性も高まる。
【００５７】
Ｂ．変形例：
なお、この発明は上記の実施形態に限られるものではなく、その要旨を逸脱しない範囲において種々の態様において実施することが可能であり、例えば次のような変形も可能である。
【００５８】
本実施例では、簡単のために、Ａ銀行以外の銀行（他行）はＢ銀行だけであるものとしたが、複数の他行が存在しても良い。取引内容が「振り込み」のときのように、複数のホストコンピュータと通信を行なう場合もある。その場合、１つのホストコンピュータ毎に、通信に使用するネットワークを選択できるようにすれば良い。
【００５９】
手数料の設定方法は様々である。例えば、ＡＴＭの利用手数料は０円であっても良いし、時刻や取引金額により変動するものとしても良い。
【図面の簡単な説明】
【００６０】
【図１】実施例の自動取引装置を用いた取引システムの構成を示す説明図である。
【図２】Ａ銀行ＡＴＭ１０の制御機構の構成例を示すブロック図である。
【図３】取引対象銀行ＤＢ４６を示す説明図である。
【図４】取引処理を示すフローチャートである。
【図５】通信に使用するネットワークの選択処理を示すフローチャートである。
【図６】選択画面を示す説明図である。
【符号の説明】
【００６１】
１...ネットワーク
１ａ...ネットワーク
２...ネットワーク
３...ネットワーク
１０...Ａ銀行ＡＴＭ
１２...ＬＡＮ
１５...Ａ銀行ホストコンピュータ
２０...Ｂ銀行ＡＴＭ
２２...ＬＡＮ
２５...Ｂ銀行ホストコンピュータ
３０...ＣＰＵ
３１...通信部
３１ａ...ＮＩＣ
３１ｂ...モデム
３２...表示部
３４...カード読取部
３５...ＲＡＭ
３６...ＲＯＭ
４１...指示受付部
４２...確認部
４３...提示部
４４...取引部
４５...選択部
４６...取引対象銀行ＤＢ
ｐｉｃ１...選択画面
ｐｉｃ２...選択画面
ｒｔ１...経路
ｒｔ２...経路
【図１】
2005196599.tif 000003
【図２】
2005196599.tif 000004
【図３】
2005196599.tif 000005
【図４】
2005196599.tif 000006
【図５】
2005196599.tif 000007
【図６】
2005196599.tif 000008